(57)【要約】  調理器具（Ｓ）及びそのアッパーカバーアセンブリ（１００）であって、アッパーカバーアセンブリ（１００）は、支持部（１０）と、支持部（１０）で支持されるフェイスプレート（３）と、フェイスプレート（３）に設けられるフェイスカバ−（２）を含み、フェイスカバ−（２）に開口が設けられ、フェイスプレート（３）の一部が開口（２１）から露出しており、フェイスカバ−（２）は、フェイスプレート（３）の支持部（１０）側と反対側の面のエッジを覆う。
2019532677.tif 000002
【特許請求の範囲】
【請求項１】
支持部と、
前記支持部で支持されるフェイスプレートと、
前記フェイスプレートに設けられるフェイスカバーと、を含み、
前記フェイスカバーに開口が設けられ、前記フェイスプレートの一部が前記開口から露出しており、前記フェイスカバーは、前記フェイスプレートの前記支持部と反対側の面のエッジを覆う、
ことを特徴とするアッパーカバーアセンブリ。
【請求項２】
前記開口の面積よりも前記フェイスプレートの面積が大きく、前記フェイスプレートは、前記開口を密閉して覆い、且つ前記フェイスプレートの外周縁から前記開口の穴縁までの距離の幅は、０.５〜２０ｍｍの範囲内である、
ことを特徴とする請求項１に記載のアッパーカバーアセンブリ。
【請求項３】
前記フェイスプレートは多角形に形成され、前記フェイスプレートは複数の頂点及び複数の辺を備える、
ことを特徴とする請求項１に記載のアッパーカバーアセンブリ。
【請求項４】
前記フェイスカバーは、前記フェイスプレートに当接するとともに、前記支持部に係合される、
ことを特徴とする請求項１に記載のアッパーカバーアセンブリ。
【請求項５】
前記支持部は、
前記フェイスプレートを支持する支持ポストが設けられるインナーカバーと、
前記インナーカバーに設けられる表示ボックスと、
を含む、
ことを特徴とする請求項４に記載のアッパーカバーアセンブリ。
【請求項６】
前記表示ボックスまたは前記インナーカバーによって前記複数の辺の位置が制限される、
ことを特徴とする請求項５に記載のアッパーカバーアセンブリ。
【請求項７】
前記フェイスカバーによって前記複数の辺の位置が制限される、
ことを特徴とする請求項３に記載のアッパーカバーアセンブリ。
【請求項８】
前記フェイスカバーと、前記インナーカバーまたは前記表示ボックスとが互いに係合される、
ことを特徴とする請求項５に記載のアッパーカバーアセンブリ。
【請求項９】
前記フェイスプレートは、多角形に形成され、前記フェイスカバーは、前記支持部と前記フェイスプレートとの外側を取り囲むように設けられる、
ことを特徴とする請求項１に記載のアッパーカバーアセンブリ。
【請求項１０】
前記フェイスプレートの複数の頂点は、前記フェイスプレートの周方向に間隔をあけて配置され、各前記頂点と前記フェイスカバーの内側壁との間の距離Ｌ１は、０＜Ｌ１≦５ｍｍという関係式を満たす、
ことを特徴とする請求項９に記載のアッパーカバーアセンブリ。
【請求項１１】
前記フェイスプレートの複数の辺は、前記フェイスプレートの周方向に先端と末端とが順次に接続され、各前記辺の中点と前記フェイスカバーの内側壁との間の距離Ｌ２は、０≦Ｌ２≦２０ｍｍという関係式を満たす、
ことを特徴とする請求項９に記載のアッパーカバーアセンブリ。
【請求項１２】
前記フェイスカバーは、前記インナーカバーの上方をカバーするように設けられ、前記フェイスプレートは、前記フェイスカバーの内側に設けられ、且つ前記開口を閉塞し、前記表示ボックスの少なくとも一部が、前記フェイスプレートの下方に位置し、前記表示ボックスは、情報を前記フェイスプレートに向かって上向きに表示する、
ことを特徴とする請求項５に記載のアッパーカバーアセンブリ。
【請求項１３】
前記フェイスカバーの前記開口の内周面には、フランジが備えられており、前記フェイスプレートの周縁が前記フランジの下面に当接する、
ことを特徴とする請求項１２に記載のアッパーカバーアセンブリ。
【請求項１４】
前記フランジは、外方から内方へ下向きに傾斜して延在しており、前記フランジの自由端が前記フェイスプレートの上面に当接する、
ことを特徴とする請求項１３に記載のアッパーカバーアセンブリ。
【請求項１５】
前記フェイスプレートと前記フランジとの間に密封部材が設けられる、
ことを特徴とする請求項１３に記載のアッパーカバーアセンブリ。
【請求項１６】
前記表示ボックスに上向きに延在する第１の係止フックが設けられ、前記第１の係止フックは、複数であり、且つ複数の前記第１の係止フックは、前記フェイスプレートの周方向に間隔をあけて配置され、前記第１の係止フックの前記フェイスプレートに向かって突出するフック部が前記フェイスプレートの上面に引っ掛けられる、
ことを特徴とする請求項１２に記載のアッパーカバーアセンブリ。
【請求項１７】
前記表示ボックスに上向きに延在する第１の位置決めポストが設けられ、前記第１の位置決めポストは、複数であり、且つ複数の前記第１の位置決めポストは、前記フェイスプレートの周方向に間隔をあけて配置され、前記第１の位置決めポストに水平位置決め面と垂直位置決め面とが形成され、前記フェイスプレートは、前記水平位置決め面で支持され、且つ前記フェイスプレートの周縁が前記垂直位置決め面の内側に当接する、
ことを特徴とする請求項１６に記載のアッパーカバーアセンブリ。
【請求項１８】
前記インナーカバーに上向きに延在する複数の第２の位置決めポストが設けられ、複数の前記第２の位置決めポストは、前記フェイスプレートの周方向に間隔をあけて配置され、前記フェイスプレートのエッジは、複数の前記第１の位置決めポストと複数の前記第２の位置決めポストとで支持される、
ことを特徴とする請求項１７に記載のアッパーカバーアセンブリ。
【請求項１９】
前記フェイスカバーは、前記インナーカバーと、前記表示ボックスと、前記フェイスプレートとのそれぞれをカバーし、前記フェイスカバーは、前記インナーカバーに係合されたりネジにより接続されたりするか、又は、前記インナーカバーに係合されると共にネジにより接続されるかのいずれかである、
ことを特徴とする請求項１２に記載のアッパーカバーアセンブリ。
【請求項２０】
前記インナーカバーに上向きに延在する第２の係止フックが設けられ、前記フェイスカバーの内側にリブが設けられ、前記第２の係止フックのフック部が前記リブの上面に引っ掛けられる、
ことを特徴とする請求項１９に記載のアッパーカバーアセンブリ。
【請求項２１】
前記フェイスプレートは、ガラス製のフェイスプレートである、
ことを特徴とする請求項１〜２０のいずれかに記載のアッパーカバーアセンブリ。
【請求項２２】
請求項１〜２１のいずれかに記載の、調理器具用のアッパーカバーアセンブリを含む、
ことを特徴とする調理器具。
【発明の詳細な説明】
【技術分野】
【０００１】
本発明は、調理器具の技術分野に関し、特に、調理器具及びそのアッパーカバーアセンブリに関する。
【背景技術】
【０００２】
従来技術において、炊飯器のガラスフェイスプレートは、接着材によりフェイスカバーと固定接続されているが、その接続が確実ではなく、ガラスとフェイスプレートとが互いに離脱しやすく、ガラスフェイスプレートのエッジが露出してしまうため、ユーザを傷つけることになりやすいだけでなく、ガラスフェイスプレートのエッジが周辺の物品と直接衝突しやすく、ガラスフェイスプレートが破損することを招いてしまう。
【発明の概要】
【発明が解決しようとする課題】
【０００３】
本発明は、関連技術における少なくとも一つの技術的課題をある程度解決することを目的とする。
【０００４】
このため、本発明は、構成がシンプルで、コストが低い調理器具用のアッパーカバーアセンブリを提供する。
【０００５】
本発明は、上記アッパーカバーアセンブリを備える調理器具を更に提供する。
【課題を解決するための手段】
【０００６】
本発明の第１の態様の実施例に係るアッパーカバーアセンブリは、支持部と、前記支持部で支持されるフェイスプレートと、前記フェイスプレートに設けられるフェイスカバーとを含み、前記フェイスカバーに開口が設けられ、前記フェイスプレートの一部が前記開口から露出しており、前記フェイスカバーは、前記フェイスプレートの前記支持部側と反対側の面のエッジを覆う。
【０００７】
本発明の実施例に係るアッパーカバーアセンブリは、フェイスカバーがフェイスプレートの周方向に沿ってフェイスプレートの外周縁を覆うことにより、使用時に、ユーザを傷つけることになりにくく、安全性が高いだけでなく、ガラスフェイスプレートが周辺の物品と直接衝突して破損することが避けられ、フェイスプレートが効果的に保護される。
【０００８】
本発明の一つの実施例によれば、前記開口の面積よりも前記フェイスプレートの面積が大きく、前記フェイスプレートは、前記開口を密閉して覆い、且つ前記フェイスプレートの外周縁から前記開口の穴縁までの距離の幅は、０.５〜２０ｍｍの範囲内である。
【０００９】
本発明のもう一つの実施例によれば、前記フェイスプレートは、多角形に形成され、前記フェイスプレートは、複数の頂点及び複数の辺を備える。
【００１０】
本発明の更なるもう一つの実施例によれば、前記フェイスカバーは、前記フェイスプレートに当接するるとともに、前記支持部に係合される。
【００１１】
本発明の選択的な例によれば、前記支持部は、前記フェイスプレートを支持するための支持ポストが設けられるインナーカバーと、前記インナーカバーに設けられる表示ボックスと、を含む。
【００１２】
本発明の選択的な一例によれば、前記表示ボックスまたは前記インナーカバーによって前記複数の辺の位置が制限される。
【００１３】
選択的には、前記フェイスカバーによって前記複数の辺の位置が制限される。
【００１４】
本発明のもう一つの選択的な例によれば、前記フェイスカバーと、前記インナーカバーまたは前記表示ボックスとが互いに係合される。
【００１５】
本発明の更なるもう一つの実施例によれば、前記フェイスプレートは、多角形に形成され、前記フェイスカバーは、前記支持部と前記フェイスプレートとの外側を取り囲むように設けられる。
【００１６】
本発明の選択的な一例によれば、前記フェイスプレートの複数の頂点は、前記フェイスプレートの周方向に間隔をあけて配置され、各前記頂点と前記フェイスカバーの内側壁との間の距離Ｌ１は、０＜Ｌ１≦５ｍｍという関係式を満たす。
【００１７】
本発明の別の選択的な一例によれば、前記フェイスプレートの複数の辺は、前記フェイスプレートの周方向に先端と末端とが順次に接続され、各前記辺の中点と前記フェイスカバーの内側壁との間の距離Ｌ２は、０≦Ｌ２≦２０ｍｍという関係式を満たす。
【００１８】
選択的には、前記フェイスカバーは、前記インナーカバーの上方をカバーするように設けられ、前記フェイスプレートは、前記フェイスカバーの内側に設けられ、且つ前記開口を閉塞し、前記表示ボックスの少なくとも一部が、前記フェイスプレートの下方に位置し、前記表示ボックスは、情報を前記フェイスプレートに向かって上向きに表示する。
【００１９】
本発明の更なる例によれば、前記フェイスカバーの開口の内周面には、フランジが備えられており、前記フェイスプレートの周縁が前記フランジの下面に当接する。
【００２０】
本発明の更なる例によれば、前記フランジは、外方から内方へ下向きに傾斜して延在し、前記フランジの自由端が前記フェイスプレートの上面に当接する。
【００２１】
本発明の更なる例によれば、前記フェイスプレートと前記フランジとの間に密封部材が設けられる。
【００２２】
本発明の選択的な例によれば、前記表示ボックスに上向きに延在する第１の係止フックが設けられ、前記第１の係止フックは、複数であり、且つ複数の前記第１の係止フックは、前記フェイスプレートの周方向に間隔をあけて配置され、前記第１の係止フックの前記フェイスプレートに向かって突出するフック部が前記フェイスプレートの上面に引っ掛けられる。
【００２３】
更に、前記表示ボックスに上向きに延在する第１の位置決めポストが設けられ、前記第１の位置決めポストは、複数であり、且つ複数の前記第１の位置決めポストは、前記フェイスプレートの周方向に間隔をあけて配置され、前記第１の位置決めポストに水平位置決め面と垂直位置決め面とが形成され、前記フェイスプレートは、前記水平位置決め面で支持され、且つ前記フェイスプレートの周縁が前記垂直位置決め面の内側に当接する。
【００２４】
更に、前記インナーカバーに上向きに延在する複数の第２の位置決めポストが設けられ、複数の前記第２の位置決めポストは、前記フェイスプレートの周方向に間隔をあけて配置され、前記フェイスプレートのエッジは、複数の前記第１の位置決めポストと複数の前記第２の位置決めポストとで支持される。
【００２５】
本発明の選択的な例によれば、前記フェイスカバーは、前記インナーカバーと、前記表示ボックスと、前記フェイスプレートとのそれぞれをカバーし、前記フェイスカバーは、前記インナーカバーに係合されたりネジにより接続されたりするか、又は、前記インナーカバーに係合されると共にネジにより接続されるかのいずれかである。
【００２６】
本発明の更なる例によれば、前記インナーカバーに上向きに延在する第２の係止フックが設けられ、前記フェイスカバーの内側にリブが設けられ、前記第２の係止フックのフック部が前記リブの上面に引っ掛けられる。
【００２７】
本発明の選択的な実施例によれば、前記フェイスプレートは、ガラス製のフェイスプレートである。
【００２８】
本発明の第２の態様の実施例に係る調理器具は、上記実施例に記載の調理器具用のアッパーカバーアセンブリを含む。
【発明の効果】
【００２９】
本発明の実施例に係る調理器具は、フェイスカバーがフェイスプレートの周方向に沿ってフェイスプレートの外周縁を覆うことにより、使用時にユーザを傷つけることになりにくく、安全性が高いだけでなく、ガラスフェイスプレートが周辺の物品と直接衝突して破損することが避けられ、調理器具が効果的に保護され、調理器具の使用寿命が確保される。
【００３０】
本発明の付加的な特徴及び利点は、一部が以下の説明において示され、一部が以下の説明により明らかになり、又は本発明の実践により理解される。
【図面の簡単な説明】
【００３１】
【図１】本発明の実施例に係るアッパーカバーアセンブリの概略構成図である。
【図２】図１中のＫ−Ｋ線に沿う断面図である。
【図３】本発明の実施例に係るアッパーカバーアセンブリの分解図である。
【図４】本発明のもう一つの実施例に係るアッパーカバーアセンブリの概略図である。
【図５】図４中のＬ−Ｌ線に沿う断面図である。
【図６】本発明のもう一つの実施例に係るアッパーカバーアセンブリの概略図である。
【図７】本発明の実施例に係る調理器具用のアッパーカバーアセンブリの概略図である。
【図８】図７中のＡ−Ａ線に沿う断面図である。
【図９】図７中のＢ−Ｂ線に沿う断面図である。
【図１０】図７中のＣ−Ｃ線に沿う断面図である。
【図１１】本発明の実施例に係る調理器具用のアッパーカバーアセンブリの分解図である。
【図１２】本発明の実施例に係る調理器具用のアッパーカバーアセンブリの分解図である。
【図１３】本発明の実施例に係る調理器具の概略構成図である。
【発明を実施するための形態】
【００３２】
以下、本発明の実施例を詳細に説明する。上記実施例における例が図面に示され、同一若しくは類似する符号は、常に同一若しくは類似する部品、又は、同一若しくは類似する機能を有する部品を表す。以下に、図面を参照しながら説明される実施例は例示的なものであり、本発明を解釈するためだけに用いられ、本発明を限定するものと理解してはいけない。
【００３３】
以下に、図１〜図６を参照しながら、本発明の第１の態様の実施例に係るアッパーカバーアセンブリ１００を説明する。
【００３４】
図３に示すように、本発明の実施例に係るアッパーカバーアセンブリ１００は、支持部１０と、フェイスプレート３と、フェイスカバー２と、を含む。
【００３５】
ここで、フェイスプレート３が支持部１０で支持され、フェイスカバー２に開口２１（開口２１がフェイスカバー２の中央部に位置する）が設けられ、フェイスプレート３の一部が開口２１から露出しており、フェイスカバー２がフェイスプレート３の周方向に沿ってフェイスプレート３の外側を取り囲むように設けられ、且つフェイスプレート３の外周縁を覆う。
【００３６】
更に、フェイスカバー２は、フェイスプレート３の外周縁を覆うように、フェイスプレート３の径方向に沿って内方へ一定の幅延在するため、フェイスプレート３を固定する役割を果たす一方、フェイスプレート３が周辺物品と接触して破損することを避けることができ、使用時にユーザを傷つけることになりにくい。
【００３７】
本発明の実施例に係るアッパーカバーアセンブリ１００は、フェイスカバー２がフェイスプレート３の周方向に沿ってフェイスプレート３の外周縁を覆うことにより、使用時にユーザを傷つけることになりにくく、安全性が高いだけでなく、フェイスプレート３が周辺の物品と直接接触して破損することが避けられ、フェイスプレート３が効果的に保護される。
【００３８】
本発明の一つの実施例によれば、開口２１の面積よりもフェイスプレート３の面積が大きく、フェイスプレート３は、開口２１を密閉して覆い、フェイスプレート３の外周縁から開口２１の穴縁までの距離の幅は、０.５〜２０ｍｍの範囲内であり、例えば、０.５ｍｍ、２ｍｍ、４ｍｍ、６ｍｍ、８ｍｍ、１０ｍｍ、１２ｍｍ、１４ｍｍ、１６ｍｍ、１８ｍｍまたは２０ｍｍであってもよい。具体的に、フェイスプレート３の外周縁を覆うフェイスカバー２の幅は、必要に応じて選択することができ、フェイスプレート３の外周縁を覆うフェイスカバー２の幅を上記範囲内に限定することにより、使用時にユーザを傷つけることを避けることができ、安全性が高いだけでなく、フェイスプレート３が周辺の物品と直接接触して破損することが避けられ、フェイスプレート３が効果的に保護される。
【００３９】
本発明の一つの実施例によれば、フェイスプレート３は、多角形に形成される。具体的に、フェイスプレート３は、三角形、四角形、五角形、六角形など（図５に示されるのが八角形である）であってもよく、フェイスプレート３は、複数の頂点と複数の辺とを備える。例えば、フェイスプレート３が八角形である場合に、フェイスプレート３は、八つの頂点と八本の辺とを備えるため、位置決めしやすく、表示のズレが発生しにくくなる。
【００４０】
本発明のもう一つの実施例によれば、フェイスカバー２の上端がフェイスプレート３に当接し、即ち、フェイスカバー２は、フェイスプレート３の上面に押し付けられ、且つフェイスカバー２の下端は、支持部１０に直接係合される。従来技術におけるフェイスカバーとフェイスプレート３との結合方式と比べて、接着材を付ける手段を機械的な手段に置き替えるだけでなく、組立過程がシンプルであり、操作が容易であり、取り付け工程が少なくなり、組立の効率が向上し、組立分解が便利である。
【００４１】
図３に示すように、選択的には、支持部１０は、インナーカバー１と、表示ボックス４とを含み、インナーカバー１に支持ポストが設けられ、表示ボックス４は、インナーカバー１にが設けられ、表示ボックス４は、インナーカバー１とフェイスプレート３との間に位置する。インナーカバー１の支持ポストと表示ボックス４とが、フェイスプレート３を支持する役割を果たす。
【００４２】
選択的には、表示ボックス４またはインナーカバー１によってフェイスプレート３の複数の辺の位置が制限される。具体的に、表示ボックス４によってフェイスプレート３の複数の辺が固定されてその位置が制限されてもよいし、インナーカバー１によってフェイスプレート３の複数の辺が固定されてその位置が制限されてもよいし、表示ボックス４とインナーカバー１とによって、フェイスプレート３の複数の辺が固定されてその位置が制限されてもよい。これにより、フェイスプレート３とインナーカバー１とが相対的に静止するように維持される。
【００４３】
本発明の更なるもう一つの実施例によれば、フェイスカバー２は、フェイスプレート３の周方向に沿ってフェイスプレート３の複数の辺の位置を制限し、フェイスカバー２は、フェイスプレート３の外周縁に取り囲むように設けられ、フェイスプレート３の外周縁（先端と末端とが順次に接続される複数の辺）を固定してその位置を制限して、フェイスプレート３とフェイスカバー２とが相対的に静止するように維持される。
【００４４】
本発明の選択的な一例によれば、フェイスカバー２の下端と、インナーカバー１または表示ボックス４とが互いに係合されるということは、フェイスカバー２とインナーカバー１とが係合されることであってもよいし、フェイスカバー２と表示ボックス４とが係合されることであってもよいし、インナーカバー１と表示ボックス４とがそれぞれフェイスカバー２に係合されることであってもよい。フェイスカバー２の下端と、インナーカバー１または表示ボックス４とが係合されることにより、フェイスカバー２の上端がフェイスカバーに当接し、フェイスプレート３がフェイスカバー２とインナーカバー１との間に押し付けられる。
【００４５】
以下に、図１〜図６を参照しながら、本発明の第１の態様の実施例に係るアッパーカバーアセンブリ１００を説明する。
【００４６】
図６に示すように、フェイスプレート３は、多角形に形成される。具体的に、フェイスプレート３は、三角形、四角形、五角形、六角形など（図６に示されるのが八角形である）であってもよい。フェイスカバー２がフェイスプレート３の周方向に沿ってフェイスプレート３の外側に設けられ、フェイスカバー２に開口２１（開口２１がフェイスカバー２の中央部に位置する）が設けられ、フェイスプレート３の一部が開口２１から露出している。
【００４７】
そのため、本発明の実施例に係るアッパーカバーアセンブリ１００は、フェイスプレート３が多角形に設けられることにより、従来技術におけるガラスフェイスプレート３と比べ、組立時に、位置決めしやすく、位置ズレの現象が発生しないだけでなく、フェイスプレート３の受力が均一であるため、破損の発生が避けられる。
【００４８】
図６に示すように、本発明の一つの実施例によれば、フェイスプレート３の複数の頂点がフェイスプレート３の周方向に間隔をあけて配置されており、複数の頂点とフェイスカバー２の内側壁との間の距離は同じであってもよく、同じでなくてもよい。フェイスプレート３は、略矩形であり、フェイスプレート３の八つの頂点をそれぞれＡ、Ｂ、Ｃ、Ｄ、Ｅ、Ｆ、Ｇ、Ｈとし、ここで、頂点Ａ、Ｂと頂点Ｇ、Ｈとがフェイスプレート３の左側に位置し、頂点Ｃ、Ｄと頂点Ｅ、Ｆとがフェイスプレート３の右側に位置し、Ａ、Ｂ、Ｃ、Ｄ、Ｅ、Ｆ、Ｇ、Ｈという八つの頂点がフェイスプレート３の周方向に配置され、且つフェイスプレート３の内側壁との間の距離が同じか、または同じではない。これにより、フェイスプレート３の位置決めが正確であり、位置ズレの現象が発生しにくいだけでなく、フェイスプレート３の周方向での受力が均一である。
【００４９】
本発明の選択的な一例によれば、各頂点とフェイスカバー２の内側壁との間の距離をＬ１とし、Ｌ１は、０＜Ｌ１≦５ｍｍという関係式を満たし、即ち、Ｌ１が０より大きく、且つ５ｍｍ以下であり、例えば、１ｍｍ、２ｍｍ、３ｍｍ、４ｍｍ、及び５ｍｍであってもよい。Ｌ１の具体的な値は、必要に応じて選択することができる。Ｌ１を上記範囲に限定することにより、各頂点とフェイスカバー２の内側壁と直接接触することを避けることができるだけでなく、各頂点とフェイスカバー２の内側壁との間の間隔が大きすぎることによるフェイスプレート３とフェイスカバー２との離脱をも避けることができる。
【００５０】
図６を参照し、本発明のもう一つの実施例によれば、フェイスプレート３の複数の辺は、フェイスプレート３の周方向に先端と末端とが順次に接続され、例えば、フェイスプレート３の複数の辺であるＡＢ、ＢＣ、ＣＤ、ＤＥ、ＥＦ、ＦＧ、ＧＨ、ＨＡについて、各辺の中点とフェイスカバー２の内側壁との間の距離が同じだが、各辺の中点とフェイスカバー２の内側壁との間の距離は同じでなくてもよい。例えば、ＡＢの中点からフェイスカバー２の内側壁までの距離と、ＢＣの中点からフェイスカバー２の内側壁までの距離とが同じであってもよいし、同じでなくてもよい。これにより、フェイスプレート３の位置決めが正確であることが確保され、位置のズレが避けられる。
【００５１】
更に、各辺の中点とフェイスカバー２の内側壁との間の距離をＬ２とし、Ｌ２は、０ｍｍ≦Ｌ２≦２０ｍｍという関係式を満たし、即ち、Ｌ２が０ｍｍ以上で且つ２０ｍｍ以下である。例えば、１ｍｍ、３ｍｍ、５ｍｍ、７ｍｍ、９ｍｍ、１１ｍｍ、１３ｍｍ、１５ｍｍ、１７ｍｍ、１９ｍｍ、及び２０ｍｍであってもよい。Ｌ２の具体的な値は、必要に応じて選択することができる。Ｌ２を上記範囲に限定することにより、フェイスプレート３とフェイスカバー２の内側壁とが直接接触することを避けると同時に、フェイスプレート３とフェイスカバー２とを確実に固定することを確保する。
【００５２】
本発明の第２の態様の実施例に係る調理器具Ｓは、上記実施例に記載のアッパーカバーアセンブリ１００を含む。
【００５３】
本発明の実施例に係る調理器具Ｓは、フェイスプレート３を形成する多角形の頂点とフェイスカバー２の内側壁との間の距離が同じであり、複数の辺とフェイスカバー２の内側壁との間の距離が同じであるため、フェイスプレート３を安全且つ確実に固定するだけでなく、フェイスプレート３の受力をさらに均一にし、フェイスプレート３のエッジが力を受けて破損することを避けることができ、これにより、フェイスプレート３の位置決めがより正確になり、調理器具Ｓは表示ズレの問題が発生することを避けられ、ユーザが観察しやすくなる。
【００５４】
以下に、図７〜図１３を参照しながら、本発明の第１の態様の実施例に係る調理器具用のアッパーカバーアセンブリ１００を説明する。
【００５５】
図９〜図１１に示すように、本発明の第１の態様の実施例に係る調理器具用のアッパーカバーアセンブリ１００は、インナーカバー１と、フェイスカバー２と、フェイスプレート３と、表示ボックス４と、を含む。ここで、フェイスプレート３は、ガラスフェイスプレートであることが好ましい。
【００５６】
具体的に、フェイスカバー２は、インナーカバー１の上方をカバーし、フェイスカバー２の頂面には、開口２１を備える。フェイスプレート３がフェイスカバー２の内側に設けられ、且つフェイスプレート３がフェイスカバー２の頂面にある開口２１を閉塞する。表示ボックス４はフェイスプレート３に取り付けられる。具体的には、表示ボックス４はフェイスプレート３に係合され、且つ表示ボックス４の少なくとも一部は、フェイスプレート３の下方に位置し、表示ボックス４は情報をフェイスプレート３に向かって上向きに表示する。例えば、表示ボックス４内に表示フェイスプレートが設けられ、表示フェイスプレートに示される情報をフェイスプレート３に向かって表示することができる。
【００５７】
なお、従来技術において、フェイスプレートは、接着材プラケットによりフェイスカバーに固定され、次にフェイスプレートは、フェイスカバーにある表示ボックスと位置合わせがされる。このようにすることで、フェイスプレートと表示ボックスとの間の寸法チェーン（フェイスプレート−接着材プラケット−フェイスカバー−表示ボックス）が長くなるため、フェイスプレートと表示ボックスとの位置合わせが、ズレしやすく、表示ボックス内の表示フェイスプレートと、フェイスプレートにあるシルク印刷のランプ穴とが重なり合わない。
【００５８】
しかしながら、本発明においては、表示ボックス４がフェイスプレート３に直接取り付けられて、表示ボックス４がフェイスプレート３に係合される。例えば、フェイスプレート３のエッジが、表示ボックス４にある第１の係止フック４２に係合され、言い換えると、表示ボックス４とフェイスプレート３とは、係合により直接に固定接続される。これにより、表示ボックスがフェイスプレートを位置決める役割を果たすため、フェイスプレート３と表示ボックス４との間の寸法チェーンが短くなり、組立誤差の累積が避けられ、表示ボックス４と、フェイスプレート３にあるシルク印刷のランプ穴とが重なり合わないことが避けられ、組立の品質が向上する。
【００５９】
本発明の実施例に係る調理器具用のアッパーカバーアセンブリ１００は、表示ボックス４がフェイスプレート３に取り付けられることにより、フェイスプレート３と表示ボックス４との間の寸法チェーンを短くし、表示ボックス４と、フェイスプレート３にあるシルク印刷のランプ穴とが重なり合わないことを避け、組立の品質を向上させることができる。
【００６０】
本発明の実施例において、図９と図１０に示すように、フェイスカバー２の開口２１の内周面には、フランジ２２が備えられており、フェイスプレート３の周縁がフランジ２２の下面に当接する。ここで、フェイスプレート３がフェイスカバー２の下方に設けられるとともに、フランジ２２を利用してフェイスプレート３の周縁に当接させることで、フランジ２２は、フェイスプレート３の周縁を遮蔽することができ、フェイスプレート３のエッジの形状がフェイスカバー２のエッジの形状の制限を受けることはなく、フェイスプレート３のエッジは、折れ曲がった直線辺とすることができる。フェイスプレート３がフェイスカバー２の上方に設けられて、フェイスプレート３のエッジがフェイスプレート３のエッジにマッチングしなければいけない従来技術のように、円弧状に作製する必要がない。これにより、フェイスプレート３の加工コストを低減し、製品の付加価値を向上させることができる。
【００６１】
また、フェイスプレート３が表示ボックス４に固定接続され、且つフェイスプレート３がフェイスカバー２のフランジ２２の下面に当接するため、フェイスプレート３が接着材によりフェイスカバー２に固定される必要がなく、生産の組立効率を大幅に向上させ、コストを低減することができると同時に、フェイスプレート３を固定する信頼性を向上させることもできる。
【００６２】
ここで、いくつかの例においては、図９と図１０に示すように、フランジ２２が外方から内方へ下向きに傾斜して延在する。例えば、フェイスカバー２の内面に接続されるフランジ２２は、内方へ向かって下向きに傾斜して延在する環状の板状である。更に、フランジ２２の自由端がフェイスプレート３の上面に当接する。つまり、フランジ２２の内端の自由端だけがフェイスプレート３と接触してフェイスプレート３を押し付ける。フランジ２２のフェイスカバー２に接続される外端は、フェイスプレート３のエッジと所定の距離の間隔をあける。
【００６３】
このように、表示ボックス４がフェイスプレート３に係合される場合に、例えば、表示ボックス４の第１の係止フック４２がフェイスプレート３のエッジに引っ掛けられる場合に、第１の係止フック４２のフック部を、フランジ２２とフェイスプレート３との間の隙間に収容することができるため、第１の係止フック４２のフック部とフランジ２２との干渉が避けられる。
【００６４】
また、フランジ２２が下へ傾斜して延在するカンチレバー構成であり、フランジ２２は、自由端だけがフェイスプレート３を下へ押し付ける場合に、フランジ２２自身の構造が一定の弾性を有するため、フランジ２２の自由端とフェイスプレート３とは、締り嵌めで結合することができ、フランジ２２が一定の弾性変形をすることにより、フェイスプレート３が押し付けられるため、フェイスプレート３に対する押圧程度を向上させ、組立の信頼性を向上させることができると同時に、フェイスプレート３がフランジ２２に硬く接触してフェイスプレート３が破損することを避けることができる。
【００６５】
好ましくは、図８に示すように、フェイスプレート３とフランジ２２との間に密封部材５が設けられており、例えば、密封部材５は、フェイスプレート３の上面とフランジ２２の下面との間に設けることができる。密封部材５は、フェイスプレート３とフランジ２２との間の隙間を密封することができる。これにより、塵埃などの異物が当該隙間からアッパーカバーアセンブリ１００内に侵入することを防止し、異物によるアッパーカバーアセンブリ１００内の蒸気通路の汚染を防止し、異物がアッパーカバーアセンブリ１００内の電気部材の正常作動に影響を及ぼすことを防止することができる。
【００６６】
更に、フェイスカバー２の径方向に沿う内向き方向に、フランジ２２が下へ傾斜して延在する。好ましくは、フランジ２２の下面には下向きに延在するストッパリブが設けられ、且つ密封部材がストッパリブのフェイスプレートの径方向の内側に位置する。これにより、ストッパリブは密封部材の移動を効果的に制限し、フランジとフェイスプレートとの間での密封部材の変位を防止することができる。選択的には、密封部材は、シールリングである。
【００６７】
本発明のいくつかの実施例において、図１２に示すように、表示ボックス４に上向きに延在する第１の係止フック４２が設けられ、第１の係止フック４２は、複数であり、且つ複数の第１の係止フック４２が、フェイスプレート３の周方向に間隔をあけて配置され、第１の係止フック４２のフェイスプレート３に向かって突出するフック部がフェイスプレート３の上面に当接する。これにより、周方向に間隔をあけて配置される複数の第１の係止フック４２は、フェイスプレートのエッジに引っ掛けられ、フェイスプレート３と表示ボックス４とを固定接続する役割を果たす。
【００６８】
更に、図１２に示すように、表示ボックス４には、上向きに延在する第１の位置決めポスト４３が設けられ、第１の位置決めポスト４３は、複数であり、且つ複数の第１の位置決めポスト４３が、フェイスプレート３の周方向に間隔をあけて配置されている。第１の位置決めポスト４３には、水平位置決め面と垂直位置決め面とが形成され、フェイスプレート３が水平位置決め面で支持され、且つフェイスプレート３の周縁が垂直位置決め面の内側に当接する。この場合に、フェイスプレート３の上下面のそれぞれが、第１の係止フック４２のフック部と第１の位置決めポスト４３の水平位置決め面との間に当接し、第１の係止フックのフック部と第１の位置決めポストの水平位置決め面とが協働してフェイスプレート３の上下方向での位置決めを実現する。フェイスプレート３の周縁が、周方向に分布する複数の第１の位置決めポスト４３の垂直位置決め面の間に当接する。これにより、フェイスプレート３の水平方向での位置制限を実現し、最終的にフェイスプレート３と表示ボックス４とが固定接続されることを実現することができる。
【００６９】
好ましくは、第１の位置決めポスト４３と第１の係止フック４２とが、フェイスプレート３の周方向に交互に間隔をあけて配置される。更に、第１の位置決めポスト４３と第１の係止フック４２とがペアになって隣接するように配置される。これにより、フェイスプレート３と表示ボックス４との接続の信頼性及び安定性を更に向上させることができる。
【００７０】
また、水平投影面での表示ボックス４の寸法はフェイスプレート３の寸法より明らかに小さく、且つ組立プロセスにおいては、フェイスプレート３とインナーカバー１との間で、一方側に表示ボックス４が取り付けられ、もう一方側に一般的には蒸気弁が取り付けられるので、もし表示ボックス４にしかフェイスプレート３を固定するための第１の係止フック４２と第１の位置決めポスト４３とを設けられない場合には、表示ボックス４の第１の係止フック４２と第１の位置決めポスト４３とがフェイスプレート３の周縁を完全に囲むことができない。
【００７１】
そのため、フェイスプレート３を固定する信頼性を更に確保し、フェイスプレート３が斜めに変位することなどを避けるために、好ましくは、図１２に示すように、インナーカバー１に上向きに延在する複数の第２の位置決めポスト１１が設けられ、複数の第２の位置決めポスト１１が、フェイスプレート３の周方向に間隔をあけて配置され、フェイスプレート３のエッジが複数第１の位置決めポスト４３と複数第２の位置決めポスト１１で支持されてもよい。ここで、複数の第２の位置決めポスト１１はインナーカバー１の表示ボックス４と反対側の他の一端に位置することができる。このように、複数の第１の位置決めポスト４３と複数第２の位置決めポスト１１フェイスプレート３とが周方向に間隔をあけて配置されることにより、第１の位置決めポスト４３と第２の位置決めポスト１１とにより周方向にフェイスプレート３の周縁を均一に支持することができる。これにより、フェイスプレート３を支持する安定性、及びフェイスプレート３を固定する信頼性を向上させることができる。
【００７２】
本発明のいくつかの実施例において、表示ボックス４はインナーカバー１に係合される。具体的に、図１１を参照して、表示ボックス４に下向きに延在する複数の係止フック４１が設けられ、複数の係止フック４１は、表示ボックス４の周方向に間隔をあけて配置され、インナーカバー１に係止フック４１と一対一で対応する係止穴１４が設けられ、係止フック４１は、係止穴１４に係合される。これにより、表示ボックス４の取り付けを容易にすることができる。
【００７３】
なお、従来技術において、表示ボックス４は、独立する部品ではなく、フェイスカバー２に形成された下へ凹むキャビティである。この場合、フェイスプレート３がフェイスカバー２の上方に配置される必要がある。本発明において、表示ボックス４は、独立する部品としてインナーカバー１に取り付けられ、それからフェイスプレート３に直接接続されるため、フェイスカバー２の構成を簡易化し、フェイスカバー２、表示ボックス４およびフェイスプレート３の生産を容易にすることができるだけでなく、表示ボックス４とフェイスプレート３との配置を容易にし、フェイスプレート３と表示ボックス４との寸法チェーンを短くし、組立の効率を向上させ、生産コストを低減することもできる。
【００７４】
更に、図１１を参照すると、インナーカバー１には上向きに延在する複数のガイドリブ１３が設けられており、複数のガイドリブ１３が表示ボックス４の周方向に間隔をあけて配置され、表示ボックス４が複数ガイドリブ１３の内側に取り付けられてもよい。好ましくは、複数ガイドリブ１３の内側面は、下から上への方向に外方へ傾斜するくさび形である。このように、複数のガイドリブ１３の内側面によって囲まれた空間は、上から下への方向に向かってその水平横断面が次第に小さくなる。この場合に、組立プロセスにおいて、ガイドリブ１３の内側のくさび形のガイド面によって、表示ボックス４が所定の取り付け位置に徐々にガイドされ、組立の効率を向上させることができる。
【００７５】
本発明のいくつかの実施例において、フェイスカバー２によりインナーカバー１と、表示ボックス４と、フェイスプレート３とのそれぞれがカバーされる。例えば、フェイスカバー２は、上下方向に延在する環状の桶状である。フェイスカバー２の頂端に開口２１が備えられ、且つフェイスカバー２の上端の内周面には径方向内側へ突出するフランジ２２を備えられている。フランジ２２は、フェイスカバー２の周方向に延在する環状である。インナーカバー１と、表示ボックス４と、フェイスプレート３とは、いずれもフェイスカバー２の内側にカバーされる。
【００７６】
ここで、図１０に示すように、フェイスカバー２は、インナーカバー１に係合されたりネジにより接続されたりするか、又は、インナーカバー１に係合されると共にネジにより接続されるかのいずれかである。これにより、フェイスカバー２とインナーカバー１とを容易に接続することができ、取り付けが容易になる。
【００７７】
具体的には、図１０に示すように、インナーカバー１には上向きに延在する第２の係止フック１２が設けられてもよい。第２の係止フック１２は、一つ、またはインナーカバー１の周方向に間隔をあけて配置される複数であってもよい。フェイスカバー２の内側にリブ２３が設けられる。ここで、リブ２３は、フェイスカバー２の周方向に延在する環状に形成されてもよいし、リブ２３は、環状の一部に形成されてもよい。当然ながら、リブ２３は、第２の係止フック１２と一対一で対応する複数であってもよい。組立時に、第２の係止フック１２のフック部がリブ２３の上面に引っ掛かることにより、インナーカバー１とフェイスカバー２との係合が実現される。
【００７８】
また、図１０に示すように、インナーカバー１に取り付け穴１５が形成されてもよい。フェイスカバー２の内側に取り付けポスト２４が設けられてもよい。インナーカバー１は、取り付け穴１５を介してフェイスカバー２の取り付けポスト２４にボルトで接続されてもよい。
【００７９】
以下に、本発明の上記実施例の調理器具用のアッパーカバーアセンブリ１００の組立プロセスを説明する。
【００８０】
組立プロセスにおいて、表示ボックス４の係止フック４１がインナーカバー１の係止穴１４に挿入されて、表示ボックス４とインナーカバー１との係合が実現される。その後、表示フェイスプレートが表示ボックス４内に取り付けられる。次に、フェイスプレート３が、表示ボックス４の第１の係止フック４２及び第１の位置決めポスト４３と第２の位置決めポスト１１との間に係合されて、フェイスプレート３と表示ボックス４との固定接続が実現され、この場合に、フェイスプレート３は、表示ボックス４の頂部を覆う。最後に、フェイスカバー２がインナーカバー１に係合され、しかもネジにより接続されこの場合に、フェイスカバー２によりフェイスプレート３と、表示ボックス４と、インナーカバー１とのそれぞれがカバーされ、組立が完成される。
【００８１】
本発明の選択的な一例によれば、フェイスプレート３は、ガラス製のフェイスプレート３である。フェイスプレート３は、ガラスで製作される。ガラスが通常透明材質であるため、ユーザは、フェイスプレート３を介してインナーカバー１と表示ボックス４とが見えるので、作動中に、ユーザが観察しやすくなる。
【００８２】
本発明の第２の態様の実施例に係る調理器具Ｓは、上記実施例に記載の上記アッパーカバーアセンブリ１００を含む。
【００８３】
本発明の実施例の調理器具Ｓによれば、フェイスカバー２がフェイスプレート３の周方向に沿ってフェイスプレート３の外周縁を覆うことにより、使用時にユーザを傷つけることになりにくく、安全性が高いだけでなく、フェイスプレート３が周囲の物品と直接接触して破損することが避けられ、調理器具Ｓが効果的に保護され、調理器具Ｓの使用寿命が確保される。
【００８４】
本発明の実施例に係る調理器具Ｓのほかの構成は、例えば、本体、鍋体、加熱装置及び操作は、当業者にとっては、周知なものであるため、ここで詳しく説明しない。
【００８５】
本発明の実施例に係る調理器具は、上記第１の態様の実施例の調理器具用のアッパーカバーアセンブリ１００が設けられることにより、調理器具の全体的な性能を向上させる。
【００８６】
なお、本発明の説明において、「中心」、「上」、「下」、「前」、「後」、「左」、「右」、「頂」、「底」、「内」、「外」、「軸方向」、「径方向」、「周方向」などの用語が示す方位又は位置関係は、図面に示す方位又は位置関係に基づき、単に本発明を便利且つ簡単に説明するためのものであり、指定された装置又は部品が特定の方位にあり、特定の方位において構造され操作されると指示又は暗示するものではないので、本発明を限定するものと理解してはいけない。
【００８７】
なお、「第１」、「第２」の用語は目的を説明するためだけに用いられるものであり、比較的な重要性を指示又は暗示するか、或いは示された技術的特徴の数を黙示的に指示すると理解してはいけない。よって、「第１」、「第２」が限定されている特徴は、少なくとも一つの該特徴を含むことを明示又は暗示するものである。本発明の説明において、明確且つ具体的な限定がない限り、「複数」とは、二つ以上を意味する。
【００８８】
本発明において、明確な規定と限定がない限り、「取り付ける」、「互いに接続する」、「接続する」、「固定する」などの用語の意味は広義に理解されるべきである。例えば、固定接続や、着脱可能な接続や、或いは一体的な接続でも可能である。機械的な接続や、電気的な接続も可能である。明確な限定がない限り、直接接続することや、中間媒体を介して間接的に接続することや、二つの部品の内部が連通することや、或いは二つの部品の間に相互の作用関係があることも可能である。当業者にとって、具体的な場合によって上記用語の本発明においての具体的な意味を理解することができる。
【００８９】
本明細書において、「一つの実施例」、「いくつかの実施例」、「例」、「具体的な例」、または「いくつかの例」などの用語の意味は、当該実施例または例示が説明する具体的な特徴、構成、材料または特性が少なとも一つの実施例または例示に含まれる。本明細書において、上記の用語の概略的な表現は、同じ実施例または例示に対して行う必要がない。また、互いに矛盾しない場合、当業者は、本明細書に係る異なる実施例または例示及び異なる実施例または例示の特徴を結合する及び組み合わせることができる。
【００９０】
以上に本発明の実施例を示して説明したが、当業者であれば、本発明の精神及び趣旨を逸脱しない場合、上記実施例に対して複数の変化、修正、取り替え及び変形を行うことができる。本発明の範囲は、請求の範囲及びその同等物により限定される。
【符号の説明】
【００９１】
１００    アッパーカバーアセンブリ  
１０      支持部  
１        インナーカバー  
１１      第２の位置決めポスト  
１２      第２の係止フック  
１３      ガイドリブ  
１４      係止穴  
１５      取り付け穴  
２        フェイスカバー  
２１      開口  
２２      フランジ  
２３      リブ  
２４      取り付けポスト  
３        フェイスプレート  
４        表示ボックス  
４１      係止フック  
４２      第１の係止フック  
４３      第１の位置決めポスト  
５        密封部材  
【図１】
2019532677.tif 000003
【図２】
2019532677.tif 000004
【図３】
2019532677.tif 000005
【図４】
2019532677.tif 000006
【図５】
2019532677.tif 000007
【図６】
2019532677.tif 000008
【図７】
2019532677.tif 000009
【図８】
2019532677.tif 000010
【図９】
2019532677.tif 000011
【図１０】
2019532677.tif 000012
【図１１】
2019532677.tif 000013
【図１２】
2019532677.tif 000014
【図１３】
2019532677.tif 000015
【国際調査報告】
2019532677.tif 000016
2019532677.tif 000017
2019532677.tif 000018
2019532677.tif 000019
2019532677.tif 000020
2019532677.tif 000021